(57)【要約】【課題】出力電圧がステップ状に変化する電圧発生回路を有する半導体試験装置において、オーバシュート及びアンダーシュートを確実に検出し、かつそのピーク電圧を精密に測定する。【解決手段】電圧発生回路３０の出力電圧２４を定める制御信号２０に基づき生成された電圧Ｖ１と、電圧Ｖ１より比較電圧２１ａ、２１ｂだけ高い又は低い第１及び第２基準電圧２２ａ、２２ｂを生成する。オーバシュート電圧検出回路７は、出力電圧２４が第１及び第２基準電圧２２ａ、２２ｂの範囲外となったときオーバ及びアンダーシュート検出信号２５ａ、２５ｂを送出する。基準電圧２２ａ、２２ｂは、出力電圧２４の負荷の影響をうけることなく生成されるから、電圧Ｖ１に正確に追従する。このため、オーバシュート等の検出、ピーク電圧の測定が正確になされる。【選択図】図１
2006133109.tif 000002
【特許請求の範囲】
【請求項１】
被測定デバイスへ印加する電圧を制御信号に従って発生する電圧発生回路を有する半導体試験装置において、
該電圧発生回路の出力電圧が、該制御信号が定める電圧より所与の正の第１比較電圧以上の場合にオーバシュート検出信号を発生するオーバシュート電圧検出回路を有することを特徴とする半導体試験装置。
【請求項２】
被測定デバイスへ印加する電圧を制御信号に従って発生する電圧発生回路を有する半導体試験装置において、
該電圧発生回路の出力電圧が、該制御信号が定める電圧より所与の負の第２比較電圧以下の場合にアンダーシュート検出信号を発生するオーバシュート電圧検出回路を有することを特徴とする半導体試験装置。
【請求項３】
被測定デバイスへ印加する電圧を制御信号に従って発生する電圧発生回路を有する半導体試験装置において、
該制御信号が定める電圧より所与の比較電圧だけ高い又は低い基準電圧を発生する基準電圧発生回路と、
該基準電圧と該電圧発生回路の出力電圧とを比較して、該電圧発生回路の出力電圧のオーバシュート又はアンダーシュートを検出するオーバシュート電圧検出回路とを有することを特徴とする半導体試験装置。
【請求項４】
該比較電圧を変化させてオーバシュート又はアンダーシュートが発生又は消滅したときの該比較電圧に基づいて、該オーバシュート又は該アンダーシュートのピーク電圧を測定することを特徴とする請求項３記載の半導体試験装置。
【請求項５】
複数の該電圧発生回路と、
該電圧発生回路の各々に設けられ、該オーバシュート電圧検出回路を該電圧発生回路の出力電圧から切り離すスイッチとを有することを特徴とする請求項１、２、３又は４記載の半導体試験装置。
【発明の詳細な説明】
【技術分野】
【０００１】
本発明は、制御信号に従って出力電圧を発生する電圧発生回路を有する半導体試験装置に関し、とくに出力電圧波形のオーバシュート及びアンダーシュートの検出回路を備えた半導体試験装置に関する。
【背景技術】
【０００２】
半導体試験装置は、被測定デバイス（ＤＵＴ）の電源端子及び信号端子へ時間的に変動する試験電圧を印加するために、制御信号に従って出力電圧波形を生成し出力する電圧発生回路を有する。この制御信号は、例えば予めプログラムされたシーケンス信号又はプログラム制御により生成されるシーケンス信号であり、電圧発生回路はこれらのシーケンス信号により指定される一連の電圧を出力する電圧波形発生装置として動作する。
【０００３】
まず、従来の半導体試験装置に使用されている電圧発生回路を説明する。図４は、従来の半導体試験装置概念図であり、半導体試験装置の主要な構成を表している。図４を参照して、半導体試験装置は、ｎチャネルの出力電圧２４に対応するｎ枚の電圧発生回路基板１と、被測定デバイス６（ＤＵＴ）の端子と電圧発生回路基板１内の電圧発生回路３０とを電気的に接続するフォース線路４及びセンス線路５とを有する。
【０００４】
各電圧発生回路基板１ａ〜１ｎは、それぞれ１チャネルの電圧発生回路３０を搭載している。その電圧発生回路３０の出力電圧２４は、フォース端子２からフォース線路４へ出力されて被測定デバイス６の端子へ印加される。被測定デバイス６の端子へ印加された電圧は、その端子へ接続するセンス線路５を通してセンス端子３ａへ入力され、後述するように電圧発生回路３０のフィードバック信号として出力電圧２４の制御に用いられる。
【０００５】
電圧発生回路３０は、Ｄ／Ａ（デジタル−アナログ）コンバータ１１と、オペアンプＡ１、Ａ２及びＡ３を含む負帰還増幅回路とを有する。Ｄ／Ａコンバータ１１は、デジタル信号からなる制御信号２０が入力され、その制御信号２０が指定する電圧Ｖ１を発生する。この電圧Ｖ１は、オペアンプＡ１を経てオペアンプＡ２により低インピーダンス出力に変換された後フォース端子２へ出力される。一方、オペアンプＡ３は、高インピーダンス入力回路を構成し、センサ線路５を通して入力される被測定デバイス６の端子電圧を高インピーダンス入力で受信する。このオペアンプＡ３は、抵抗ｒ３と共に、オペアンプＡ１及びＡ２を含む負帰還増幅回路を構成している。このオペアンプＡ１〜Ａ３を含む負帰還増幅回路は、センサ線路５の電圧がＤ／Ａコンバータ１１の出力電圧Ｖ１に一致するように、オペアンプＡ１を制御する。これにより、Ｄ／Ａコンバータ１１の出力電圧Ｖ１に等しい電圧が被測定デバイス６の端子に出力される。
【０００６】
電圧発生回路３０は、さらに抵抗ｒ２、電流測定回路３１及び電流クランプ回路１２からなる過電流制限回路を有している。電流クランプ回路１２は、抵抗ｒ２に流れる出力電流を監視し、出力電流が予め定められた値を超えた場合にオペアンプＡ１の入力に帰還電流を加算してオペアンプＡ１の出力電圧Ｖ２をクランプする。また、電流測定回路３１は、スパイク状の過電流を監視し、過電流の発生を検出して過電流信号Ｓ１を送出する。この過電流制限回路により、電圧発生回路３０の出力電流が電圧発生回路３０及びＩＣの最大規格を超えることがないように制限される（以上、従来の半導体試験装置については特許文献１を参照。）。
【０００７】
かかる過電流は、電流発生回路３０の出力は定電圧出力であるのに対して、被測定デバイスの端子のインピーダンスが被測定デバイスの内部回路の動作状態又は被測定デバイス６の端子への印加電圧により変動することに起因して発生する。上述の過電流制限回路は、このような過電流の発生を回避する。
【０００８】
さらに、被測定デバイス６の出力の過電圧をクランプする過電圧クランプ回路と、被測定デバイス６の出力の異常電圧を検出する異常電圧検出回路と、異常電圧が検出されたときに被測定デバイス６の出力端子を開放するスイッチとを設けた半導体試験装置が開示されている。（例えば、特許文献２を参照。）。
【０００９】
この半導体試験装置は、被測定デバイス６の出力インピーダンスが負荷側（半導体試験装置側）のインピーダンスより低いときに生ずる被測定デバイス６の出力波形のリンギングをクランプすることで、試験に支障となるリンギングを除去する。さらに、被測定デバイス６から異常に高い電圧が出力された場合に、この出力を切り離し、他のデバイスあるいは半導体試験装置を保護する。なお、これらのクランプ電圧及び異常とされる電圧は、予め一定の値として与えられている。
【００１０】
この電圧クランプ回路及び異常電圧回路は、被測定デバイス６の出力に伴い発生するリンギング及び異常電圧から試験装置及び他のデバイスを保護するもので、被測定デバイス６の出力端子に接続される試験装置の端子に設けられる。これに対して、電源電圧又は入力信号電圧を供給する電圧発生回路３０に、電圧クランプ回路又は異常電圧検出回路を設ける必要はない。なぜなら、既述したように、電圧発生回路３０はセンス線５を介したフイードバック回路により所定の電圧を出力するから、被測定デバイス６からの出力がない電源電圧及び入力信号電圧には被測定デバイス６の出力に起因するリンギングや異常電圧は発生しないからである。
【００１１】
しかし、電圧発生回路３０のフイードバックの遅延、又はフオース線路４やセンス線路５の両端でのインピーダンス不整合により、電圧発生回路３０の出力電圧２４にリンギングによるオーバシュートやアンダーシュートを生ずる場合がある。このため、試験精度の劣化や被測定デバイス６の破壊を引き起こすことがある。
【特許文献１】特開２００３−１８５７１６号公報
【特許文献２】特開平１１−３２６４５９号公報
【発明の開示】
【発明が解決しようとする課題】
【００１２】
上述したように、従来の半導体試験装置の電圧発生回路は、過電流のクランプ及び検出回路を備えている。しかし、過電圧ないしオーバシュートやアンダーシュートのような出力電圧に対するクランプ回路又は検出回路は設けられていなかった。
【００１３】
他方、被測定デバイスの出力電圧が印加される端子に、電圧クランプ回路及び異常電圧検出回路を設けた半導体試験装置が知られている。しかし、被測定デバイスの出力が重畳されない端子、例えば電源電圧端子及び信号入力端子へ電圧を供給する電圧発生回路に設けたものは知られていない。さらに、クランプ電圧及び異常とされる電圧は、それぞれ予め付与された一定電圧値で決定されるため、シーケンシャルに出力電圧が変化する場合、出力電圧からの電圧差である出力波形のオーバシュートやアンダーシュートを精密に検出したり、オーバシュートやアンダーシュートの電圧を精密に測定することは困難であった。
【００１４】
このように、電圧発生回路のフィードバックの遅延又はフオース線路やセンス線路の両端でのインピーダンス不整合により発生する出力電圧波形のオーバシュート及びアンダーシュートに対して、これを検出し又はピーク電圧を測定するこは難しく、オーバシュート及びアンダーシュートを検出、測定して有効な対処を施すことは困難であった。
【００１５】
本願発明は、半導体試験装置の出力電圧のオーバシュート又はアンダーシュートを、出力電圧が時間的に変化する場合でも、確実に検出することができる又はそのピーク電圧を精密に測定することができる電圧発生回路を備えた半導体試験装置を提供することを目的とする。
【課題を解決するための手段】
【００１６】
上記課題を解決するために、本願発明の第一の構成では、電圧発生回路の出力電圧が、制御信号が定める電圧より所与の正の第１比較電圧以上の高電圧となった場合にオーバシュート検出信号を発生するオーバシュート電圧検出回路を有する。
【００１７】
制御信号は、電圧発生回路が出力すべき出力電圧（本明細書では「本来の出力電圧」という。）を指定する信号であり、電圧発生回路の出力波形は、本来、制御信号により定められるべきものである。しかし、上述したように、出力電圧が変化するときにオーバ又はアンダーシュートを生ずることがある。なお、本明細書では、オーバシュート及びアンダーシュートを、それぞれ本来の出力電圧に対して正電圧方向及び負電圧方向に振れる電圧波形との意味で使用する。
【００１８】
本願の第一の構成では、制御信号が指定する電圧と正の第１比較電圧との和を基準電圧とし、出力電圧がこの基準電圧以上になったことを検知してオーバシュート検出信号を発出する。
【００１９】
本願の第二の構成では、制御信号が指定する電圧と負の第２比較電圧との和を基準電圧とし（即ち、基準電圧は制御信号が指定する電圧より第２比較電圧の絶対値だけ低い。）、出力電圧がこの基準電圧以下になったことを検知してアンダーシュート検出信号を発生し出力する。
【００２０】
本願の第三の構成では、制御信号に基づきかかる基準電圧を発生する基準電圧発生回路を有し、この基準電圧と出力電圧とを比較してオーバシュート又はアンダーシュート検出信号を発出する。
【００２１】
これら第一〜第三の構成によると、オーバシュート又はアンダーシュートを検出する基準電圧は、本来の出力電圧より比較電圧だけ高い又は低い電圧であり、本来の出力電圧と同様に変化する。従って、本来の出力電圧が変動しても、基準電圧と本来の出力電圧との差は常に比較電圧に等しいから、オーバシュート及びアンダーシュートをこの本来の出力電圧から比較電圧分を超えた又は下回った電圧として正確に検出することができる。
【００２２】
さらに、比較電圧を変化させ、オーバシュート又はアンダーシュート検出信号が消滅又は発生し始めるときの比較電圧をオーバシュート又はアンダーシュートのピーク電圧として測定することができる。
【００２３】
上述した構成において、さらにオーバシュート電圧検出回路を出力電圧から切り離すスイッチを設けることができる。出力電圧に接続するオーバシュート電圧検出回路は、被測定デバイス側からみると重負荷になる。従って、被測定デバイスの試験時にはオーバシュート電圧検出回路を出力電圧から切り離し、オーバシュート検出時にはオーバシュート電圧検出回路を出力電圧に接続することで、被測定デバイスの精密な試験と、オーバ及びアンダーシュートの正確な検出・測定とを行うことができる。
【発明の効果】
【００２４】
本発明によれば、半導体試験装置の出力電圧が時間的に変化する場合でも、例えば出力電圧がパルスハイトが異なるパルス列である場合でも、基準電圧と出力電圧の差は常に比較電圧に等しいから、オーバシュート及びアンダーシュートを出力電圧を基準として比較電圧を超える又は下回る電圧として検出しかつその電圧を測定することができる。従って、オーバシュート及びアンダーシュートを正確に検出、測定することができる。このため、精密な半導体試験、及び、オーバシュート及びアンダーシュートに対して適切な対処をすることができる。
【発明を実施するための最良の形態】
【００２５】
図１は本発明の実施形態による半導体試験装置の概念図であり、半導体試験装置の主要な構成を表している。図１を参照して、本実施形態が図４に示した従来の半導体試験装置と異なる点は、スイッチ２３、オーバシュート電圧検出回路７、及び加算並びに減算回路９、８が設けられている点である。以下、この相違点を主として本発明を説明する。なお、他は従来の半導体試験装置と同様なので、同じ回路についてはとくに説明を要する場合を除き説明を省略する。
【００２６】
まず、図１を参照して、電圧発生回路３０には、電圧発生回路３０を搭載する電圧発生回路基板１の外部から、制御信号２０、正の第１比較電圧２１ａ及び負の第２比較電圧２１ｂが入力される。Ｄ／Ａコンバータ１１は、デジタル制御信号２０をアナログ電圧Ｖ１に変換する。この電圧Ｖ１は、出力電圧２４を発生するためにアンプＡ１へ入力されるとともに、加算回路９及び減算回路８へ入力される。加算回路９及び減算回路８は、それぞれアナログ電圧Ｖ１と第１比較電圧２１ａ及び第２比較電圧２１ｂの和からなる第１基準電圧２２ａ及び第２基準電圧２２ｂを生成する。即ち、
【００２７】
【数１】
2006133109.tif 000003
【００２８】
となる。なお、第１及び第２比較電圧２１ａ、２１ｂの代わりにそれらを表すデジタル信号を入力し、電圧発生回路基板１の内部でこのデジタル信号をＤ／Ａ変換してアナログ電圧からなる第１及び第２比較電圧２１ａ、２１ｂを生成することもできる。このとき、第１及び第２比較電圧２１ａ、２１ｂを表すデジタル信号をデジタル制御信号に加算して、第１及び第２基準電圧２２ａ、２２ｂを表示するデジタル信号を作成し、この第１及び第２基準電圧２２ａ、２２ｂを表示するデジタル信号をＤ／Ａ変換して第１及び第２基準電圧を作成することもできる。
【００２９】
オーバシュート電圧検出回路７は、出力電圧２４を第１基準電圧２２ａと比較し、出力電圧２４が第１基準電圧を超えたときオーバシュート検出信号２５ａを送出する。同様に、出力電圧２４を第２基準電圧２２ｂと比較し、出力電圧２４が第２基準電圧を下回るときアンダーシュート検出信号２５ｂを送出する。これらの信号は、図外の制御装置に送信され、出力電圧２４の遮断・低下や記録、表示等がなされる。また、この制御装置は、第１及び第２の比較電圧２１ａ、２１ｂを生成し、各電圧発生回路基板へ供給する。
【００３０】
図２は、本発明の実施形態オーバシュート電圧検出回路回路図であり、オーバシュート電圧検出回路７の一例を表している。図２を参照して、オーバシュート電圧検出回路７は、オーバシュートの検出回路とアンダーシュートの検出回路とを備えている。オーバシュートの検出回路は、直列接続されたダイオードＤ１及び抵抗ｒ５と、抵抗ｒ５の両端の電圧を測定する電圧測定回路１３とから構成され、その一端がスイッチ２３に他端が第１基準電圧に接続されている。ダイオードＤ１は、スイッチ２３から第１基準電圧２２ａ方向が順方向となるように接続されている。なお、ダイオードＤ１と抵抗ｒ５の位置は入れ換えることができる。
【００３１】
アンダーシュートの検出回路は、上記オーバシュートの検出回路のダイオードＤ１を逆方向にしたダイオードＤ２、抵抗ｒ５に代えて抵抗ｒ４、および第１基準電圧２２ａに代えて第２基準電圧２２ｂとしたものである。電圧測定回路１３は、抵抗の両端にダイオードＤ１、Ｄ２の順方向電流が流れたときに生ずる電圧を検知し、オーバシュート検出信号２５ａ又はアンダーシュート検出信号を送出する。
【００３２】
次に、上記オーバシュートの検出回路の動作を説明する。出力電圧２４が第１基準電圧２２ａより低い場合は、ダイオードＤ１が逆方向になり抵抗ｒ５に電流が流れず抵抗ｒ５の両端の電圧は０Ｖである。このとき、電圧測定回路１３はオーバシュート検出信号２５ａを送出しない。出力電圧２４が第１基準電圧２２ａより高い場合は、ダイオードＤ１が順方向になり抵抗ｒ５に順電流が流れ抵抗ｒ５の両端に電圧が発生する。電圧測定回路１３は、この抵抗ｒ５の両端の電圧を検出してオーバシュート検出信号２５ａを送出する。
【００３３】
アンダーシュートの検出回路では、出力電圧２４が第２基準電圧２２ｂより高い場合は、ダイオードＤ２が逆方向になり抵抗ｒ４に電流が流れず抵抗ｒ４の両端の電圧は０Ｖで、電圧測定回路１３はアンダーシュート検出信号２５ｂを送出しない。出力電圧２４が第２基準電圧２２ｂより低い場合は、ダイオードＤ２が順方向になり抵抗ｒ４に順電流が流れ抵抗ｒ４の両端に電圧が発生する。電圧測定回路１３は、この抵抗ｒ４の両端の電圧を検出してアンダーシュート検出信号２５ｂを送出する。
【００３４】
第２基準電圧２２ｂ＜第１基準電圧２２ａであるから、オーバシュート電圧検出回路７は以下のように動作する。出力電圧２４＜第２基準電圧２２ｂのとき、アンダーシュート検出信号２５ｂを送出する。第２基準電圧２２ｂ＜出力電圧２４＜第１基準電圧２２ａのとき、アンダーシュート検出信号２５ｂもオーバシュート検出信号２５ａも送出しない。第１基準電圧２２ａ＜出力電圧２４のとき、オーバシュート検出信号２５ａを送出する。なお、出力電圧２４が第１基準電圧２２ａ又は第２基準電圧２２ｂに等しいときは、必要に応じてアンダーシュート検出信号２５ｂ又はオーバシュート検出信号２５ａを送出するように又は送出しないように、電圧測定回路１３を設定することができる。
【００３５】
さらに、オーバシュート電圧検出回路７の動作を、タイムチャートを用いて説明する。図３は本発明を説明するための電圧波形図であり、オーバシュート電圧検出回路７に現れる各種電圧のタイムチャートを表している。なお、図３（ａ）はＤ／Ａコンバータ１１の出力電圧Ｖ１と電圧発生回路３０の出力電圧２４との関係を、図３（ｂ）はＤ／Ａコンバータ１１の出力電圧Ｖ１と第１及び第２基準電圧２２ａ、２２ｂとの関係を、図３（ｃ）はオーバシュート電圧検出回路７により検出される出力電圧波形を表している。
【００３６】
図３（ａ）を参照して、Ｄ／Ａコンバータ１１の出力電圧Ｖ１（即ち、電圧発生回路３０から出力されるべき本来の出力電圧）は、電圧ｖ１のステップから高電圧ｖ２のステップを経てｖ１とｖ２の中間電圧ｖ３のステップへと階段状に変化する。このとき、電圧発生回路３０の実際の出力電圧２４には、立ち上がり及び立ち下がりのそれぞれでリンギングによるパルス状のオーバシュート及びアンダーシュートが観察された。なお、この観測は、図１のスイッチ２３を開にし、オーバシュート電圧検出回路７を出力電圧２４から切り離してなされた。
【００３７】
このとき、第１基準電圧２２ａは、図３（ｂ）を参照して、本来の出力電圧Ｖ１を第１比較電圧２１ａの電圧分だけ高電圧側に移動した電圧波形となる。逆に、第２基準電圧２２ｂは、本来の出力電圧Ｖ１を第２比較電圧２１ｂの電圧分だけ低電圧側に移動した電圧波形となる。これら、第１及び第２基準電圧２２ａ、２２ｂは、第１及び第２比較電圧２１ａ、２１ｂ及び本来の出力電圧Ｖ１から直接生成されるため、電圧発生回路３０の負荷の影響を受けることなく正確に出力電圧Ｖ１に追従させることができる。
【００３８】
図３（ｃ）には、図３（ａ）に示す出力電圧２４波形と図３（ｂ）に示す第１及び第２基準電圧２２ａ、２２ｂ波形とが重ねて表されている。図３（ｃ）を参照して、出力電圧２４が第１基準電圧２２ａを超えるのは、出力電圧２４の立ち上がりのオーバシュートのイで示された部分と、立ち下がりの電圧ステップの遷移期間に相当するロで示された部分である。オーバシュート電圧検出回路７は、これらの部分イ及びロを検出しそれぞれイ及びロの部分に関するオーバシュート検出信号２５ａを送出する。
【００３９】
一方、出力電圧２４が第２基準電圧２２ｂを下回るのは、出力電圧２４の立ち上がりの遷移期間に相当するニで示された部分と、立ち下がりの電圧ステップのアンダーシュートのハで示された部分である。オーバシュート電圧検出回路７は、これらの部分ハ及びニを検出しそれぞれハ及びニの部分に関するアンダーシュート検出信号２５ｂを送出する。
【００４０】
従って、図３（ｃ）に示す場合には、オーバシュート電圧検出回路７からイ、ロに対応するオーバシュート検出信号２５ａとハ、ニに対応するアンダーシュート検出信号２５ｂとが、ニ、イ、ロ、ハの順の時系列で送出される。
【００４１】
このうち、出力電圧２４の立ち上がり及び立ち下がりの遷移期間に生ずるニ及びロのアンダーシュート検出信号２５ｂ及びオーバシュート検出信号２５ａは、出力電圧２４の立ち上がり及び立ち下がりの遅延に伴い生ずるもので、出力波形のオーバシュートを表すものではない。このため、これらニ、ロに対応する検出信号２５ａ、２５ｂを除去することが好ましい。この除去は、例えば、立ち上がりから最初に検出されるアンダーシュート検出信号２５ｂ及び立ち下がりから最初に検出されるオーバシュート検出信号２５ａを除くことで実現することができる。また、立ち上がり及び立ち下がりから遷移期間に相当する予め与えられた一定時間内の検出信号２５ａ、２５ｂを削除することでもなすことができる。
【００４２】
オーバシュート電圧検出回路７を用いて、オーバシュート及びアンダーシュートのピーク電圧を測定することができる。図３（ｃ）を参照して、例えば、イの部分にオーバシュートが観察されたとき、同一の出力電圧２４波形を繰り返し出力しつつ、繰り返しごとに第１基準電圧２２ａを少しずつ上昇する。第１基準電圧２２ａがオーバシュートのピーク電圧を超えるとオーバシュート検出信号２５ａの送出が停止するので、ピーク電圧は、オーバシュート検出信号２５ａの送出が停止した前後の第１基準電圧２２ａの範囲にあると判断される。このピーク電圧の測定の初期の段階で第１基準電圧２２ａを大きく上昇又は下降させ、検出信号２５ａの送出が停止又は開始し始めた後、同様の測定手順の繰り返しを第１基準電圧２２ａの上昇、下降の電圧幅を順次小さくしながら行うこともできる。これにより、ピーク電圧の測定時間を短縮することができる。なお、第１及び第２基準電圧２２ａ、２２ｂは、それぞれ独立して与えられる第１比較電圧２１ａ、２１ｂに基づいて定められるから、互いに独立した電圧値を与えることができる。従って、オーバシュート及びアンダーシュートのピーク値を、同時にそれぞれ独立に測定することができる。
【００４３】
スイッチ２３は、出力電圧２４とオーバシュート電圧検出回路７との間に挿入されており、被測定デバイスの特性試験の際及び出力電圧のオーバ若しくはアンダシュートを観測する際に開放して出力電圧２４からオーバシュート電圧検出回路７を切り離す。このスイッチ２３は、全ての電圧発生回路３０に設けられ、例えば図外の制御装置から送信されるスイッチ制御信号２３ａにより全てのスイッチ２３が同時に開閉される。もちろん、必要ならば、任意に選択されたスイッチ２３のみを開閉することもできる。
【００４４】
上述の本発明の明細書には、以下の付記記載の発明が開示されている。
（付記１）
被測定デバイスへ印加する電圧を制御信号に従って発生する電圧発生回路を有する半導体試験装置において、
該電圧発生回路の出力電圧が、該制御信号が定める電圧より所与の正の第１比較電圧以上の場合にオーバシュート検出信号を発生するオーバシュート電圧検出回路とを有することを特徴とする半導体試験装置。
（付記２）
被測定デバイスへ印加する電圧を制御信号に従って発生する電圧発生回路を有する半導体試験装置において、
該電圧発生回路の出力電圧が、該制御信号が定める電圧より所与の負の第２比較電圧以下の場合にアンダーシュート検出信号を発生するオーバシュート電圧検出回路とを有することを特徴とする半導体試験装置。
（付記３）
被測定デバイスへ印加する電圧を制御信号に従って発生する電圧発生回路を有する半導体試験装置において、
該電圧発生回路の出力電圧が、該制御信号が定める電圧より所与の正の第１比較電圧以上の場合にオーバシュート検出信号を発生し、該制御信号が定める電圧より所与の負の第２比較電圧以下の場合にアンダーシュート検出信号を発生するオーバシュート電圧検出回路とを有することを特徴とする半導体試験装置。
（付記４）
被測定デバイスへ印加する電圧を制御信号に従って発生する電圧発生回路を有する半導体試験装置において、
該制御信号が定める電圧より所与の比較電圧だけ高い又は低い基準電圧を発生する基準電圧発生回路と、
該基準電圧と該電圧発生回路の出力電圧とを比較して、該電圧発生回路の出力電圧のオーバシュート又はアンダーシュートを検出するオーバシュート電圧検出回路とを有することを特徴とする半導体試験装置。
（付記５）
該比較電圧を変化させてオーバシュート又はアンダーシュートが発生又は消滅したときの該比較電圧に基づいて、該オーバシュート又は該アンダーシュートのピーク電圧を測定することを特徴とする付記３又は４記載の半導体装置。
（付記６）
該比較電圧を変化させてオーバシュートが発生又は消滅したときの該比較電圧に基づいて、該オーバシュートのピーク電圧を測定することを特徴とする付記１記載の半導体装置。
（付記７）
該比較電圧を変化させてアンダーシュートが発生又は消滅したときの該比較電圧に基づいて、該アンダーシュートのピーク電圧を測定することを特徴とする付記２記載の半導体装置。。
（付記８）
複数の該電圧発生回路と、
該電圧発生回路の各々に設けられ、該オーバシュート電圧検出回路を該電圧発生回路の出力電圧から切り離すスイッチとを有することを特徴とする付記１、２、３、４、５又は６記載の半導体試験装置。
【産業上の利用可能性】
【００４５】
本発明によれば、半導体試験装置の電圧発生回路の出力電圧がステップ状に変化する場合でも、オーバシュート又はアンダーシュートを確実に検出し、かつピーク電圧を精密に測定することができる。このため、精密な半導体試験を行うことができる半導体試験装置を提供することができ、半導体装置の製造に大いに貢献できる。
【図面の簡単な説明】
【００４６】
【図１】本発明の実施形態による半導体試験装置の概念図
【図２】本発明の実施形態によるオーバシュート電圧検出回路の回路図
【図３】本発明を説明するための電圧波形図
【図４】従来の半導体試験装置概念図
【符号の説明】
【００４７】
１、１ａ〜１ｎ  電圧発生回路基板
２、２ａ〜２ｎ  フォース端子
３、３ａ〜３ｎ  センス端子
４  フォース線路
５  センス線路
６  ＤＵＴ（被測定デバイス）
７  オーバシュート電圧検出回路
８  減算回路
９  加算回路
１０  スイッチ
１１  Ｄ／Ａコンバータ
１２  電流クランプ回路
１３  電圧測定回路
２０  制御信号
２１、２１ａ、２１ｂ  比較電圧
２２、２２ａ、２２ｂ  基準電圧
２３  スイッチ
２３ａ  スイッチ制御信号
２４  出力電圧
２５ａ  オーバシュート検出信号
２５ｂ  アンダーシュート検出信号
３０  電圧発生回路
３１  電流測定回路
Ａ１〜Ａ３  オペアンプ
Ｄ１、Ｄ２  ダイオード
ｒ１〜ｒ５  抵抗
【図１】
2006133109.tif 000004
【図２】
2006133109.tif 000005
【図３】
2006133109.tif 000006
【図４】
2006133109.tif 000007